(57)【要約】【課題】両端にそれぞれ開口が形成されていながら、つま先に対応する位置に形成される開口を必要に応じて簡単に閉じることができ、そして簡単に製造できる新しい脚のカバーを提供する。【解決手段】筒状に形成された胴部の延伸方向の両端部にそれぞれ第１の開口と第２の開口とを設け、前記第１の開口には、前記端部から前記第２の開口方向へ折り返して前記胴部を二重に覆うカフス部と、該カフス部の折り返した端縁のほぼ半周を胴部と一体に綴じ合せてなる袋縫い部とを有しているを特徴とする脚のカバーを提供する。【選択図】図１
2008025091.tif 000002
【特許請求の範囲】
【請求項１】
筒状に形成された胴部の延伸方向の両端部にそれぞれ第１の開口と第２の開口とを設け、前記第１の開口には、前記端部から前記第２の開口方向へ折り返して前記胴部を二重に覆うカフス部と、該カフス部の折り返した端縁のほぼ半周を胴部と一体に綴じ合せてなる袋縫い部とを有していることを特徴とする脚のカバー。
【請求項２】
前記袋縫い部は、綴じ合せられる開口の縁部が１つに繋がって前記カフス部の折り返した端縁と連続的に延伸してなることを特徴とする請求項１に記載の脚のカバー。
【請求項３】
前記袋縫い部は、前記カフス部の少なくとも折り返した端縁の半周分以上を占めるように形成することを特徴とする請求項２に記載の脚のカバー。
【請求項４】
前記カフス部の前記延伸方向における折り返し幅は、前記第１の開口縁の全周の１/４より長くなるように形成することを特徴とする請求項１に記載の脚のカバー。
【発明の詳細な説明】
【技術分野】
【０００１】
本発明は、ソックスやストッキング、タイツなどのような足を覆うためのカバーの製造に関し、特に、その両端にそれぞれ開口が形成されている脚のカバーに関する。
【背景技術】
【０００２】
従来には、足の裏に対応する部分に孔が形成され、その孔をつま先にずらすと、つま先のケアができる穴あきタイツというタイプのタイツは、主にバレーダンサーの間に愛用されている。しかし、孔がない通常のタイツと比べると、その製造方法はより複雑であるので、値段もそのコストに応じて通常のタイツより約２割高くなっている。
【０００３】
一方、女性が愛用するパンティストッキングは着脱が不便なので、パンティストッキングを濡らさずに水際や浅瀬などを渡ることは不可能である。
【発明の開示】
【発明が解決しようとする課題】
【０００４】
上記穴あきタイツのコスト問題や、パンティストッキングの着脱の問題を解決するため、本発明は両端にそれぞれ開口が形成されていながら、つま先に対応する位置に形成される開口を必要に応じて簡単に閉じることができ、そして簡単に製造できる新しい脚のカバーを提供することを目的とする。
【課題を解決するための手段】
【０００５】
上記目的を達成するために、本発明は脚のカバーとして、筒状に形成された胴部の延伸方向の両端部にそれぞれ第１の開口と第２の開口とを設け、前記第１の開口には、前記端部から前記第２の開口方向へ折り返して前記胴部を二重に覆うカフス部と、該カフス部の折り返した端縁のほぼ半周を胴部と一体に綴じ合せてなる袋縫い部とを有していることを特徴とする脚のカバーを提供する。
【０００６】
上記脚のカバーにおいて、前記袋縫い部は、綴じ合せられる開口縁部が１つに繋がって前記カフス部の折り返した端縁と連続的に延伸してなるように形成することが好ましい。
【０００７】
更に、前記袋縫い部は、前記カフス部の少なくとも折り返した端縁の半周分以上を占めるように形成することが好ましい。
【０００８】
また、上記脚のカバーにおいて、前記カフス部の前記延伸方向における折り返し幅は、前記第１の開口縁の全周の１/４より長くなるように形成することが好ましい。
【発明の効果】
【０００９】
上記構成によれば、本発明の脚のカバーは、まず両端部にそれぞれ第１の開口と第２の開口とを有する筒状の胴部を製造し、そして第１の開口の端部を第２の開口方向へ折り返して前記胴部を二重に覆うカフス部とし、該カフス部の折り返した端縁に、胴部と一体に綴じ合せてなる袋縫い部を形成すれば完成できる製造簡単な脚のカバー提供することが出来る。
【００１０】
本発明は袋縫い部以外の端縁を袋部位として第１の開口方向へ折り戻して第１の開口を覆えば通常のソックスやタイツのように装着することが出来、そして袋部位を元の位置に戻せばつま先が露出し、穴あきタイツと同じようにつま先のケアをすることが出来る。
【００１１】
また、本発明の脚のカバーは第１の開口と第２の開口を有するので、つま先だけ、あるいは足全体を第１の開口から露出するように装着できる、即ちすでに装着している状態でも装着の長さや部位を自由に調整することが出来るので、水際や浅瀬などを濡れずに渡ることが出来る。
【００１２】
その上、カフス部が形成されている第１の開口近くは他の部分より厚くなっているので、そこを下肢の特定の部位に合わせば、下肢の皮膚や筋肉に刺激やマッサージ効果与えて疲労感の解消や下肢のむくみの予防などの効果もある。
【発明を実施するための最良の形態】
【００１３】
図１は本発明の脚のカバーの好ましい実施形態の構成を示す斜視図であり、図２はその延伸方向上の縦断面図であり、図３は図２における３―３線の横断面図である。また、図４〜図７に示すのはその使用方法や使用状態を示す説明図である。
【００１４】
以下は各図面を参照しながら、本発明の脚のカバーの好ましい実施形態の構成や使用方法、使用状態について詳しく説明する。
【００１５】
図１に示すように、その脚のカバーの胴部１０は延伸方向Ｘに沿って延伸する筒状に形成され、その両端部にはそれぞれ第１の開口１１と第２の開口１２とを有している。その脚のカバーを装着するときは、つま先を第２の開口１２から胴部１０に入れて装着するので、一般的には第２の開口１２を第１の開口１１より広く形成する。
【００１６】
本発明の脚のカバーの形成材質については、ソックスやストッキング、タイツなど下肢を被覆する脚のカバーに通常用いられる弾性力を持つナイロンやポリウレタンなどの材料を用いられることが出来る。
【００１７】
第１の開口１１側には、第１の開口１１側から第２の開口１２方向へ折り返して胴部１０を二重に覆うカフス部１３が形成されている。該カフス部１３の折り返した端部の開口縁１４には、胴部１０と一体に綴じ合せてなる袋縫い部１４１と、胴部１０とは結合しない袋部位１４２とを有している。
【００１８】
カフス部１３の折り返し幅、つまり第１の開口１１側から第２の開口１２へ折り返す量の設定については、第１の開口１１の周縁の全周の１/４より長く設定されている。このように設定することによって、図５、図６に示すように、袋部位１４２を第１の開口へ折り戻す時、袋部位１４２は第１の開口１１を十分に覆いきることが出来る。
【００１９】
袋縫い部１４１は、図１と図２に示すように、カフス部１３の折り返した端縁１４のほぼ半周を胴部と一体に綴じ合せてなるものである。
【００２０】
また、図３に示すように、袋縫い部１４１の端縁１４において占める割合については、その半周分以上を占めるように構成されることが好ましい。これよって、袋部位１４２を第１の開口へ折り戻す時、脚のカバー自身の材質が持つ弾性力を利用し、第１の開口１１を覆うことだけでなく、通常の脚のカバーのようにつま先を確実に被覆することが出来る。
【００２１】
図４の使用状態に示すように、本発明の脚のカバーは、袋部位１４２が胴部１０の外表面に折り畳む状態にすれば、つま先だけ露出してケアをすることが出来る。また、図７の使用状態に示すように、足全体を第１の開口１１を通じて露出するように装着することが出来る。そして、カフス部１３の位置を更に下肢の上へずらせば、脚のカバーを濡らすことなく水際や浅瀬などを渡ることが出来る。
【００２２】
更に、袋部位１４２が胴部１０の外表面に折り畳む状態では、図２、図３に示すように、そこの部分は他の部分の２倍の厚さになっているので、カフス部１３は下肢の皮膚や筋肉に刺激やマッサージ効果与えることによって、疲労感の解消や下肢のむくみの予防などの効果も期待できる。例えば図４や図７に示すように、足部の中段部や足首の上部に刺激を与えることが出来る。
【産業上の利用可能性】
【００２３】
上記構成によれば、本発明は、両端にそれぞれ開口が形成されていながら、つま先に対応する位置に形成される開口を必要に応じて簡単に閉じることができ、そして簡単に製造できるソックスやタイツ、パンティーストッキングなどの脚のカバーを提供することができる。
【図面の簡単な説明】
【００２４】
【図１】本発明の脚のカバーの好ましい実施形態の構成を示す斜視図である。
【図２】同脚のカバーの延伸方向上の縦断面図である。
【図３】図２における３―３線の横断面図である。
【図４】同脚のカバーの使用状態を示す説明図である。
【図５】同脚のカバーの使用方法を示す説明図である。
【図６】同脚のカバーの使用方法を示す説明図である。
【図７】同脚のカバーの使用状態を示す説明図である。
【符号の説明】
【００２５】
１０  胴部
１１  第１の開口
１２  第２の開口
１３  カフス部
１４  （カフス部の）端縁
１４１  袋縫い部
１４２  袋部位
Ｘ  延伸方向
【図１】
2008025091.tif 000003
【図２】
2008025091.tif 000004
【図３】
2008025091.tif 000005
【図４】
2008025091.tif 000006
【図５】
2008025091.tif 000007
【図６】
2008025091.tif 000008
【図７】
2008025091.tif 000009